(57)【要約】【課題】充分な積み上げ強度を有する前面板をポーラスコンクリートにて構成した擁壁用ブロックを提供する。【解決手段】前面板２と、この前面板に繋ぎ部４を介して繋がる控え壁３とからなり、前面板をポーラスコンクリートにて構成し、この前面板の背面を上記繋ぎ部と控え壁を成形する型枠の繋ぎ部先端を閉じる成形枠として用い、上記型枠に打ち込み固化したコンクリートの繋ぎ部の先端と前面板とを結合した。【選択図】      図１
2004339889.tif 000002
【特許請求の範囲】
【請求項１】
前面板と、この前面板に繋ぎ部を介して繋がる控え壁とからなり、前面板をポーラスコンクリートにて構成し、この前面板の背面を上記繋ぎ部と控え壁を成形する型枠の繋ぎ部先端を閉じる成形枠として用い、上記型枠に打ち込み固化したコンクリートの繋ぎ部の先端と前面板とを結合したことを特徴とする擁壁用ブロック。
【請求項２】
前面板の繋ぎ部が結合する部分に、背面側が小径になるテーパ穴を少なくとも２個設け、この両穴にまたがるコ字状の連結金具を支持部材にて支持して背面側に浮かして設け、繋ぎ部を構成するコンクリートを上記穴に充填すると共に連結金具を繋ぎ部内に一体化したことを特徴とする請求項１記載の擁壁用ブロック。
【請求項３】
水平状にした下面に対して後傾するポーラスコンクリートにて構成した前面板と、この前面板に繋ぎ部を介して一体状に繋がれ、かつ前面板より大きな角度で後傾するコンクリートにて構成した控え壁とからなると共に、控え壁の上下の一方の端面の長手方向の複数個所に擁壁の厚さ方向に溝を設けた擁壁用ブロックを、
上下の擁壁用ブロックの控え壁が互いに当接すると共に、下側の擁壁用ブロックの前面板の上部内側との間に隙間をあけて積み重ね、
一端部に上側の控え壁の内側に係合する上側折り曲げ部を、また他端部に下側の控え壁の外側に係合する下側折り曲げ部をそれぞれ設けたズレ止め金具を控え壁に設けた溝内に組み込んだことを特徴とする擁壁。
【請求項４】
ズレ止め金具の上側折り曲げ部と下側折り曲げ部の間隔を控え壁の厚さより大きくして、下側折り曲げ部に先端が下側の控え壁の外面に当接する押しねじを設けた請求項３記載の擁壁。
【発明の詳細な説明】
【０００１】
【発明の属する技術分野】
本発明は、擁壁を構築するのに用いる擁壁用ブロック及び擁壁に関するものである。
【０００２】
【従来の技術】
従来のこの種の擁壁用ブロックは全体が同質のコンクリートにて一体構成となっている。そして、積み上げたときに、上下のブロック相互で前後方向に係合するために、各ブロックの前部上面に突起を設け、前部下面にこの突起に係合する凹部を設け、これらの係合により下側のブロックに対して上側のブロックのズレ出しを防止するようにしている（例えば特許文献１参照）。
【０００３】
【特許文献１】
実用新案出願公告平成３年第５２８２６号公報（第１〜２頁、図１）
【０００４】
【発明が解決しようとする課題】
従来の擁壁用ブロックは全体が同質の一体成形体であるため、例えば景観上前壁をポーラスコンクリートにしたい場合には全体をポーラスコンクリートにて成形しなければならず、これでは積み重ね強度上にも問題が生じる。
【０００５】
また、従来の擁壁用ブロックでは、各ブロックの前側上面に突起を、及び前側下面にこの突起に係合する溝をブロックの成形時に成形しなければならないことにより各ブロックの成形単価が高くなるという問題があった。
【０００６】
本発明は上記のことに鑑みなされたもので、充分な積み重ね強度を有する構成で、前壁だけをポーラスコンクリートに構成できる擁壁用ブロックを提供し、また、上面と下面に相互に係合する突起や溝を設けることなしに、ズレ出しが生じることなく積み上げることができるようにした擁壁用ブロックを用いた擁壁を提供することを目的とするものである。
【０００７】
【課題を解決するための手段】
上記目的を達成するために、本発明に係る擁壁用ブロックは、前面板と、この前面板に繋ぎ部を介して繋がる控え壁とからなり、前面板をポーラスコンクリートにて構成し、この前面板の背面を上記繋ぎ部と控え壁を成形する型枠の繋ぎ部先端を閉じる成形枠として用い、上記型枠に打ち込み固化したコンクリートの繋ぎ部の先端と前面板とを結合した構成になっている。この構成では、前面板が強度的に問題があるポーラスコンクリートにて構成したにもかかわらず、積み重ね強度を繋ぎ部と控え壁にて分担できる。
【０００８】
そして、上記構成の擁壁用ブロックにおいて、前面板の繋ぎ部が結合する部分に、背面側が小径になるテーパ穴を少なくとも２個設け、この両穴にまたがるコ字状の連結金具を支持部材にて支持して背面側に浮かして設け、繋ぎ部を構成するコンクリートを上記穴に充填すると共に連結金具を繋ぎ部内に一体化した。これにより、前面板と繋ぎ部とが、控え壁及び繋ぎ部を成形するために打ち込まれたコンクリートが上記穴内に入り込んで固化すること、及び連結金具により、前面板と繋ぎ部とが強固に結合される。
【０００９】
また、本発明に係る擁壁は、水平状にした下面に対して後傾するポーラスコンクリートにて構成した前面板と、この前面板に繋ぎ部を介して一体状に繋がれ、かつ前面板より大きな角度で後傾するコンクリートにて構成した控え壁とからなると共に、控え壁の上下の一方の端面の長手方向の複数個所に擁壁の厚さ方向に溝を設けた擁壁用ブロックを、上下の擁壁用ブロックの控え壁が互いに当接すると共に、下側の擁壁用ブロックの前面板の上部内側との間に隙間をあけて積み重ね、一端部に上側の控え壁の内側に係合する上側折り曲げ部を、また他端部に下側の控え壁の外側に係合する下側折り曲げ部をそれぞれ設けたズレ止め金具を控え壁に設けた溝内に組み込んだ構成になっている。この構成では、上側の擁壁用ブロックは下側の擁壁ブロックに対してズレ止めの金具にてズレ出し方向に係止されて前方へのズレ出しが防止される。
【００１０】
そして上記構成の擁壁において、ズレ止め金具の上側折り曲げ部と下側折り曲げ部の間隔を控え壁の厚さより大きくして、下側折り曲げ部に先端が下側の控え壁の外面に当接する押しねじを設けた。これにより、押しねじの押し込み長さを調節することにより、ズレ止め金具による上下の控え壁の重なり部における前後方向の係止幅が変えられて曲線積みによって上側の控え壁が下型の控え壁に対して前後方向にはみ出しても、これに対応することができる。
【００１１】
【発明の実施の形態】
本発明の実施の形態を図面に基づいて説明する。図中１は擁壁用ブロック（以下単にブロックという）であり、このブロック１は前面板２と、この前面板２の後方に位置する控え壁３と、両壁２，３を繋ぐ２本の繋ぎ部４，４とからなっている。この２本の繋ぎ部４，４のそれぞれは前面板２の幅方向両端から前面板２の幅寸法の１／４の位置に設けてある。前面板２の前面には横方向の溝５が上下方向に２本（複数本）設けてある。
【００１２】
そしてこのブロック１の下面は水平になっており、前面板２はこの下面と直角面に対して後傾されており、また控え壁３は前面板２より大きな角度で後傾されていて、前面板２と控え壁３とは上方部が広がるように対向されている。そして控え壁３と繋ぎ部４，４の高さは前面板２の高さより低い高さで同一になっており、控え壁３の上面に上側のブロック１の控え壁３の下面が積み重ね載置され、また繋ぎ部４の上面に上側のブロック１の前面板２の下面が、上側のブロック１の前面板２の前縁と下側のブロック１の前面板２の内側との間に隙間を有する状態で積み重ね載置されるようになっている。
【００１３】
控え壁３の幅は前面板２の幅より狭くなっており、この控え壁３の下面の幅方向の複数個所で繋ぎ部４をよけた位置に溝６が厚さ方向に設けてある。控え壁３の上端背面部には控え壁３の上面と直角にした切欠き面７が設けてある。
【００１４】
このブロック１の前面板２は、他の部分と別体になっていて、この前面板２の背面で繋ぎ部４，４の端部と結合して一体化されている。そして前面板２はポーラスコンクリートにて構成されており、繋ぎ部４，４と控え壁３とは通常のコンクリートにて一体構成されている。
【００１５】
前面板２と他の部分との結合は、図３に示すように、ポーラスコンクリートにて別途に成形された前面板２を、控え壁３と繋ぎ部４，４を一体に成形する型枠（図示せず）の上記繋ぎ部４の成形枠の先端をこれの背面で閉じる位置に配置する。そしてこの型枠に所定の骨材を混入したモルタルを流し込み、このモルタルが固化した控え壁３と継ぎ足４，４が一体に成形される際に、繋ぎ部４，４の先端が前面板２に背面に結合される。
【００１６】
このとき、上記型枠に対して前面板２はこれの背面が略水平になるようにして配置させる。そしてこの前面板２の繋ぎ部４との接合部分には少なくとも２個ずつの穴８，８が設けてあり、この穴８，８にＵ字形の補強金具９の両端部を、補強金具９の中間部を支持金具１０，１０にて支持して前面板２の背面側から浮かした状態で挿入し、この状態で上記モルタルを流し込む。このとき、モルタルは穴８，８内にも流れ込み、補強金具９はモルタル内に埋め込まれ、前面板２と繋ぎ部４との接合部をこの補強金具９にて補強される。
【００１７】
上記穴８，８は前面板２の背面側が小径にしたテーパ状になっていて、この穴８内で固化したコンクリートは前面板２と繋ぎ部４の分離方向のアンカ作用をする。また、この穴８に入り込んだコンクリートは前面板２の背面に沿う方向の剪断力に対応する支持構造となる。
【００１８】
上記した構成のブロック１を用いた擁壁の構築について図４から図１０に基づいて説明する。
【００１９】
まず、法面が直線になる直線積みについて説明する。
【００２０】
図４はブロック１を基礎コンクリートＡ上に積み重ねた状態を側方から見た状態であり、下段のブロック１に対して上段のブロック１は下段のブロック１の控え壁３及び繋ぎ部４の上端に上側のブロック１を載せると共に、下側のブロック１の控え壁３の上面に上側の控え壁３の下面を揃えて積み重ねる。この直線積みの場合、積み重なる各ブロック１の控え壁３は図５に示すように積み重ね端面で前後方向にずれることなく重ねられる。このとき、前面板２と控え壁３とは上方が広がるように傾斜していることにより、上側のブロック１の前面板２の前縁と下側のブロック１の前面板２の内側との間に植生用の隙間Ｃができる。
【００２１】
またこのとき、上記したように、上下のブロック１，１は控え壁３の上面と下面とで互いに当接するが、この間に上側のブロック１の面に設けた溝６により構成される隙間に上下の各控え壁３，３の相互を前後方向に係止する直線積み用のズレ止め金具１１を組み込む。
【００２２】
この直線積み用のズレ止め金具１１は、図７に示すようになっており、上記溝６の深さより少し薄く、かつ溝６の幅より狭い幅の板材が用いられていて、この溝６内に位置した状態で、これの長さ方向の一端部が上側のブロック１の控え壁３の下端部の内側に係合するように上側へ折り曲げられた上側折り曲げ部１１ａとなっており、また他端部が下側のブロック１の控え壁３の上端部の外側に設けた切欠き面７に係合するように折り曲げられた下側折り曲げ部１１ｂとなっている。
【００２３】
この擁壁の構築は、下側のブロック１に対して上側のブロック１は千鳥状に積み重ねられて行われるが、このときの下側のブロック１の上面と上側のブロック１の下端面とが重なる様子は図５に示すようになる。図中実線は下側のブロック１の平面形状を示し、鎖線はこの上側に千鳥状に積み重ねる上側のブロック１の下端面を示す。
【００２４】
このように、上側の１つのブロック１は下側の２つのブロック１，１にまたがって積み重ねられ、この上側のブロック１の各溝６に上記直線積み用のズレ止め金具１１を組み込むことにより、上下のブロック１，１はこのズレ止め金具１１の上側折り曲げ部１１ａと下側折り曲げ部１１ｂにて前後方向に係止される。なお、このときのズレ止め金具１１は上側のブロック１の４個所に設けた溝の両端の２個所の溝６，６に組み込むようにしてもよい。この場合、少なくとも２個所の溝に組み込む。
【００２５】
次に、法面が外側へ膨出するように湾曲させて積み重ねる外側曲線積みについて説明する。
【００２６】
図６はこのときの下側のブロック１の上面と上側のブロック１の下端面とが重なる様子を示すもので、この図においても、下側のブロック１の平面形状を実線で、千鳥状に積み上げる上側のブロック１の下端面を鎖線で示している。
【００２７】
この外側曲線積みの場合、下側のブロック１上に千鳥状に積み重なる上側のブロック１の控え壁３の下面の両端部は、下側のブロック１の控え壁３の上面に対して前方にはみ出される。そしてこのはみ出し量は上記湾曲半径によって変化し一定とはならない。また、下側のブロック１の控え壁３の上端部の切欠き面７と上側のブロック１の控え壁３の下端部の内面とは平行にならない。
【００２８】
従って、このときに用いる曲線積み用のズレ止め金具１２は、図８に示すようになり、これの上側折り曲げ部１２ａと下側折り曲げ部１２ｂとの間隔を、上記直線積み用のズレ止め金具１１のそれより長くしておくと共に、上側折り曲げ部１２ａの内側に、上側のブロック１の控え壁３の内面が上側折り曲げ部１２ａ側に当接するための丸棒１３が縦方向に溶接にて固着してある。また、下側折り曲げ部１２ｂには下側のブロック１の控え壁３の切欠き面７に先端が当接する押しねじ１４がねじ込み係合してある。
【００２９】
そして上記曲線積みの際には、図８に示すように、前側へはみ出した上側の控え壁３の内側に曲線積み用のズレ止め金具１２の上側折り曲げ部１２ａの丸棒１３を当接し、下側折り曲げ部１２ｂの押しねじ１４をねじ込んでこれの先端で下側の控え壁３の切欠き面７を押してズレ止め金具１２を後側から固定することにより、下側の控え壁３に対して上側の控え壁３が前側へのズレ出し方向に係止される。このとき、上側の控え壁３のはみ出し量の変化は押しねじ１４のねじ込み量により吸収される。またこのとき、上下の控え壁３，３は平行にならないが、上側の控え壁３の内面に丸棒１３が当接することにより、ズレ止め金具１２の上側折り曲げ部１２ａは上側の控え壁３の内面にすわり良く当接される。
【００３０】
次に、法面が内側へ凹むように湾曲させて積み重ねる内側曲線積みについて説明する。
【００３１】
この場合は図８に示した外側曲線積みの場合とは逆に、上側のブロック１の控え壁３の両側部は下側のブロック１の控え壁３に対する図９に示すように後側へはみ出される。従って上記外側曲線積みの場合と同一のズレ止め金具１２を用い、上記上側の控え壁３の後側へのはみ出し分だけ押しねじ１４のねじ込みにより吸収して固定する。
【００３２】
なお、上記した実施の形態では、ブロックの直線積みには直線積み用のズレ止め金具１１を、また曲線積みには曲線積み用のズレ止め金具１２を用いたことにより、直線積みの場合には押しねじのない一定形状のズレ止め金具１１を用いることができ、このズレ止め金具１１の組み込み作業を容易に行うことができる。しかしながら、この直線積みに押しねじ１４のねじ込み量を一定にした曲線積み用のズレ止め金具１２を用いてもよい。
【００３３】
また、上記実施の形態ではズレ止め金具１１，１２を組み込むための溝６を控え壁３の下面に設けた例を示したが、これは控え壁３の上面側に設けてもよい。
【００３４】
【発明の効果】
本発明は上記したようになり、請求項１に係る擁壁用ブロックでは、前面板が強度的に問題があるポーラスコンクリートにて構成したにもかかわらず、積み重ね強度を繋ぎ部と控え壁にて分担できることにより、充分な積み上げ強度を有する前面板をポーラスコンクリートにて構成した擁壁用ブロックを提供することができる。
【００３５】
そして請求項２に係る擁壁用ブロックでは、前面板と繋ぎ部とが強固に結合され、組成が異なる前面板と繋ぎ部を含む控え壁とが、同一組成のものと同様の一体構成のものとし取り扱うことができる。
【００３６】
また、請求項３に係る擁壁は、上側の擁壁用ブロックは下側の擁壁用ブロックに対してズレ止め金具にてズレ出し方向に係止されることにより、従来のブロックのようにブロックの上面や下面に上記ズレ出し防止用の突起や凹突を設ける必要がなくなり、この擁壁用ブロックの成形価格を安くすることができる。
【００３７】
そして請求項４に係る擁壁では、ズレ止め金具の押しねじの押し込み長さを調節することにより、ズレ止め金具による上下の控え壁の重なり部における前後方向の係止幅が変えられて曲線積みによって上側の控え壁が下側の控え壁に対して前後方向にはみ出してもこれに対応することができ、前面が膨出、あるいは凹状になっている曲線積みにおいても、かつどんな曲線にも対応することができ、一種類の擁壁用ブロックで直線部から曲線部にわたる擁壁施工を行うことができる。
【００３８】
また本発明に係る擁壁では、各段の擁壁用ブロックの前面板の上端部の内側に隙間ができることにより、この部分での植物の繁茂が期待できる。
【図面の簡単な説明】
【図１】本発明に係る擁壁用ブロックを示す斜視図である。
【図２】本発明に係る擁壁用ブロックを示す一部破断側面図である。
【図３】前面板を示す斜視図である。
【図４】本発明に係る擁壁用ブロックを積み重ねた状態を示す側面図である。
【図５】直線積み時における擁壁用ブロックの重なり状態を示す平面図である。
【図６】曲線積み時における擁壁用ブロックの重なり状態を示す平面図である。
【図７】直線積み時におけるズレ止め金具を示す側面図である。
【図８】法面が外側へ膨出する方向に湾曲させた曲線積み時におけるズレ止め金具を示す側面図である。
【図９】法面が内側へ凹むように湾曲させた曲線積み時におけるズレ止め金具を示す側面図である。
【図１０】曲線積み用のズレ止め金具を示す斜視図である。
【符号の説明】
１…擁壁用ブロック、２…前面板、３…控え壁、４…繋ぎ部、５…溝、６…溝、７…切欠き面、８…穴、９…補強金具、１０支持金具、１１，１２…ズレ止め金具、１１ａ，１２ａ…上側折り曲げ部、１１ｂ，１２ｂ…下側折り曲げ部、１３…丸棒、１４…押しねじ。
【図１】
2004339889.tif 000003
【図２】
2004339889.tif 000004
【図３】
2004339889.tif 000005
【図４】
2004339889.tif 000006
【図５】
2004339889.tif 000007
【図６】
2004339889.tif 000008
【図７】
2004339889.tif 000009
【図８】
2004339889.tif 000010
【図９】
2004339889.tif 000011
【図１０】
2004339889.tif 000012